(57)【要約】【課題】  電話帳データを効率よく検索できるようにした携帯機器、及び電話帳データを効率よく検索でき、素早く発信またはメール送信できるようにした通信端末を得る。【解決手段】  各種情報を表示する表示部１２、通信先名称とその通信先への通信接続情報とからなる通信先データを複数記憶するとともに、各々の通信先データに対応させて複数の検索情報を設定記憶可能な記憶部１０、操作部８の操作により上記検索情報が複数選択されたとき、選択された複数の検索情報を全て満足する通信先データを検索し、上記表示部１２に表示する制御部５、及びこの制御部５により上記表示部１２に表示された上記通信先データの中から上記操作部８の操作によって１つの通信先データが選択されたとき、選択された通信先データに対応する通信先へ通信接続する通信部２を備えた。【選択図】          図１
2005278048.tif 000002
【特許請求の範囲】
【請求項１】
各種情報を表示する表示部、通信先名称とその通信先への通信接続情報とからなる通信先データを複数記憶するとともに、各々の通信先データに対応させて複数の検索情報を設定記憶可能な記憶部、及び操作部の操作により上記検索情報が複数選択されたとき、選択された複数の検索情報を全て満足する通信先データを検索し、上記表示部に表示する制御部を備えたことを特徴とする携帯機器。
【請求項２】
各種情報を表示する表示部、通信先名称とその通信先への通信接続情報とからなる通信先データを複数記憶するとともに、各々の通信先データに対応させて複数の検索情報を設定記憶可能な記憶部、操作部の操作により上記検索情報が複数選択されたとき、選択された複数の検索情報を全て満足する通信先データを検索し、上記表示部に表示する制御部、及びこの制御部により上記表示部に表示された上記通信先データの中から上記操作部の操作によって１つの通信先データが選択されたとき、選択された通信先データに対応する通信先へ通信接続する通信部を備えたことを特徴とする通信端末。
【請求項３】
制御部により通信先データが検索された後、さらに、操作部の操作により検索情報が選択されたとき、制御部は該検索情報をさらに満足する通信先データを上記検索の結果の中から検索して表示部に表示することを特徴とする請求項１記載の通信端末。
【発明の詳細な説明】
【技術分野】
【０００１】
この発明は、例えば携帯電話機の電話帳に氏名、電話番号、メールアドレスなどの電話帳データを複数記憶し、ユーザが指定した検索情報に基づいて電話帳データを検索する携帯機器及び通信端末に関する。
【背景技術】
【０００２】
携帯電話機に代表される携帯機器及び通信端末は、発信相手先やメール送信の宛先等の電話帳データをユーザが自由に登録可能なものが普及しているが、もっと多くの電話帳データを登録したいというユーザの要望に応えるべく、登録可能件数を増やす携帯電話機が増加している。
【０００３】
従来の電話帳データの検索方式として、電話帳データを大グループ及び小グループに分類して登録しておき、大グループ及び小グループを指定することによって、電話番号がわからない場合でも、容易に通話したい相手の電話番号を検索できる移動電話方式がある（例えば、特許文献１参照）。
【０００４】
【特許文献１】特開平１１−２９８５８８号公報（第２−４頁、第４図）
【発明の開示】
【発明が解決しようとする課題】
【０００５】
特許文献１の移動電話において、電話帳データ数が１００件程度、大グループ及び小グループ数が１０件程度であれば、グループ検索することで電話帳データを容易に２０件程度に絞ることができるが、数１００件の登録が一般的に可能である近年の携帯電話機においては、グループ検索を行っても、相当数の電話帳データが抽出されてしまい、携帯電話機のような小さな表示画面領域しか持たない携帯機器においては意味を成さないという問題点があった。
【０００６】
それを解決するためにグループの総数を単純に増やすと、グループが必要以上に細分化され、検索したい電話帳データがどのグループに登録されているのかがわかり難くなってしまい、グループ自体の選択に時間がかかってしまうという問題点があった。
【０００７】
この発明は、上記のような問題点を解消するためになされたもので、電話帳データを効率よく検索できるようにした携帯機器、及び電話帳データを効率よく検索でき、素早く発信またはメール送信できるようにした通信端末を得ることを目的とするものである。
【課題を解決するための手段】
【０００８】
この発明の請求項１に係る携帯機器は、各種情報を表示する表示部、通信先名称とその通信先への通信接続情報とからなる通信先データを複数記憶するとともに、各々の通信先データに対応させて複数の検索情報を設定記憶可能な記憶部、及び操作部の操作により上記検索情報が複数選択されたとき、選択された複数の検索情報を全て満足する通信先データを検索し、上記表示部に表示する制御部を備えたものである。
【０００９】
この発明の請求項２に係る通信端末は、各種情報を表示する表示部、通信先名称とその通信先への通信接続情報とからなる通信先データを複数記憶するとともに、各々の通信先データに対応させて複数の検索情報を設定記憶可能な記憶部、操作部の操作により上記検索情報が複数選択されたとき、選択された複数の検索情報を全て満足する通信先データを検索し、上記表示部に表示する制御部、及びこの制御部により上記表示部に表示された上記通信先データの中から上記操作部の操作によって１つの通信先データが選択されたとき、選択された通信先データに対応する通信先へ通信接続する通信部を備えたものである。
【発明の効果】
【００１０】
この発明の請求項１に係る携帯機器は、検索情報が複数選択されたとき、選択された複数の検索情報を全て満足する通信先データを検索し、表示部に表示するようにしたので、通信先データを効率よく検索できる効果がある。
【００１１】
この発明の請求項２に係る通信端末は、検索情報が複数選択されたとき、選択された複数の検索情報を全て満足する通信先データを検索し、表示部に表示する。そして、この表示部に表示された通信先データの中から１つの通信先データが選択されたとき、選択された通信先データに対応する通信先へ通信接続するようにしたので、通信先データを効率よく検索でき、素早く発信またはメール送信することができる効果がある。
【発明を実施するための最良の形態】
【００１２】
図１は、この発明に係る携帯機器及び通信端末としての携帯電話機を示すブロック図である。図において、基地局や電話網などを含む通信回線１からアンテナ（図示せず）を介して受信した音声信号が、通信部としてのＲＦ部（Ｒａｄｉｏ  Ｆｒｅｑｕｅｎｃｙ）２に入力される。ＲＦ部２は、アンテナで受信した信号を増幅および周波数変換して後述するベースバンド部３に復調用信号として出力する。ベースバンド部３は、ＲＦ部２から入力した復調用信号を復調して、呼制御を行う呼制御部４を介して主に機能動作を制御する制御部５へ出力する。制御部５は、呼制御部４から入力された音声信号を音声に変換してレシーバ６へ送り、レシーバ６から音声を出力する。一方、マイク７から入力された音声は制御部５で音声信号に変換される。この音声信号は、呼制御部４を介してベースバンド部３に入力され、ベースバンド部３で変調されてＲＦ部２へ出力される。ＲＦ部２は、ベースバンド部３からの音声変調信号を増幅および周波数変換してアンテナに出力する。
また、ユーザが操作部としてのキー入力装置８から検索情報の登録指示を入力すると、制御部５は検索情報番号に対応付けた検索情報を検索情報記憶部９に登録する。次に、ユーザがキー入力装置８から検索情報を含む通信先データとしての電話帳データの登録指示を入力すると、制御部５は記憶部としての電話帳データ記憶部１０に記憶させる。ユーザがキー入力装置８から、電話帳データの検索指示を入力すると、制御部５内の電話帳検索制御部１１は、電話帳データ記憶部１０及び検索情報記憶部９から該当する電話帳データを読み出し、制御部５は表示部としてのＬＣＤディスプレイ１２に検索結果を表示させる。
【００１３】
図２は、この発明に係る携帯電話機の電話帳データ記憶部１０の内部構成を示す図である。電話帳データ記憶部１０は、例えば、１０００件分の電話帳データを記憶できるデータベースであり、１件の電話帳データは「データ番号」、通信先名称としての「名前」、通信接続情報としての「電話番号」及び「メールアドレス」並びに「検索情報番号」で構成されている。
【００１４】
図３は、この発明に係る携帯電話機の検索情報記憶部９の内容構成を示す図である。検索情報記憶部９は、例えば、３２の検索情報を記憶できるデータベースであり、１つの検索情報は「検索情報番号」と「検索情報名称」で構成されている。
【００１５】
図４は、この発明に係る携帯電話機のＬＣＤディスプレイ１２に表示される画面を示す図であり、電話帳データ記憶部１０に記憶している電話帳データを検索するときの画面遷移を示している。
【００１６】
図５は、この発明に係る携帯電話機の電話帳データ記憶部１０を検索する処理を示すフローチャートである。
【００１７】
以下、図１〜５に基づいて、電話帳データを検索する処理について説明する。
まず、ユーザは、電話帳データを登録するためにキー入力装置８を操作すると、制御部５は電話帳データ記憶部１０の指定されたデータ番号に名前、電話番号、メールアドレス及び検索情報番号を記憶させる。この検索情報番号は、検索情報記憶部９の検索情報番号と対応している。
【００１８】
次に、ユーザが電話発信またはメール送信するために電話帳データを読み出そうとキー入力装置８を操作すると、制御部５はＬＣＤディスプレイ１２に電話帳検索画面を表示させる（ステップ１）。ユーザがキー入力装置８を操作して、電話帳の検索モードを情報検索に切り換えると（ステップ２）、電話帳検索制御部１１は検索情報記憶部９に記憶している全ての検索情報を読み出す。制御部５は、この読み出した検索情報の名称一覧を図４（ａ）のようにＬＣＤディスプレイ１２に表示させる（ステップ３）。
【００１９】
ユーザがキー入力装置８を操作して、表示している検索情報名称一覧から目的の電話帳データが含まれていると思われる検索情報名称、例えば、図４（ａ）のように「友人」のチェックボックスをチェックすることで検索したい検索情報を選択する（ステップ４）。このとき選択する検索情報は１つでもよいし、複数でもよい。引き続きユーザがキー入力装置８の検索キーを操作すると、電話帳検索制御部１１は電話帳データ記憶部１０から検索情報に「友人」を含む電話帳データを読み出し、制御部５は読み出した電話帳データの一覧を図４（ｂ）のように表示させる（ステップ５）。
【００２０】
電話帳検索制御部１１は、ステップ５で表示された電話帳データのうち他の検索情報、この実施の形態では、検索情報に「友人」以外が登録されている電話帳データがあるか否かを判定する（ステップ６）。
この判定で、ステップ５で表示された全ての電話帳データが他の検索情報を登録していなかった場合、サブメニュー表示用の内部情報を「絞込検索」無効にして（ステップ７）、ステップ１０に進み、電話帳データの絞り込みはこの時点以降できなくなる。
【００２１】
ステップ６の判定で、ステップ５で表示された電話帳データのうち他の検索情報を登録しているものがあった場合、つまり、図２のように、検索情報に「友人」以外を登録している電話帳データがある場合、制御部５は図４（ｂ）の「絞込検索可能です」のように、さらに電話帳データの絞り込みが可能であることをＬＣＤディスプレイ１２に表示させて（ステップ８）、サブメニュー表示用の内部情報を「絞込検索」有効にし（ステップ９）、キー入力を待つ（ステップ１０）。
【００２２】
次に、ユーザがキー入力装置８を操作すると、制御部５は操作されたキー種別を判定する（ステップ１１）。
この判定で、キー入力装置８がソフトキー「サブメニュー」を操作されたと判定されると、制御部５はサブメニュー表示用の内部情報が「絞込検索」無効であれば「絞込検索」を選択できない状態で、サブメニュー表示用の内部情報が「絞込検索」有効であれば図４（ｃ）のように「絞込検索」を選択可能な状態でＬＣＤディスプレイ１２にサブメニュー一覧を表示させる。
さらに、ユーザがキー入力装置８を操作してサブメニュー「絞込検索」を選択すると、制御部５は図４（ｄ）のようにＬＣＤディスプレイ１２に絞り込み検索のための検索情報名称一覧を表示させて、ステップ４へ戻る。ここで表示される「検索情報名称」は、ステップ４で選択した以外の検索情報である。また、ステップ４で選択した以外の検索情報のうち、ステップ５で表示した電話帳データに対応付けられた検索情報のみを表示するようにすると、ユーザは無意味な絞り込みを行うことを防ぐことができ、絞り込みが容易になる。また、全ての検索情報を表示して、選択済みのグループを選択できないようにしても同様の効果を得られる。
【００２３】
以降、図４（ｅ）、（ｆ）、（ｇ）及び（ｈ）のように、検索情報の「友人」を「自社」及び「サークル」または「女」に置き換えて、ステップ４〜ステップ１１を繰り返すことにより、ステップ５で表示された電話帳データのうち他の検索情報を登録している電話帳データがなくなるまで絞り込んで検索することができる。つまり、ステップ４で図４（ｄ）のように「自社」及び「サークル」のチェックボックスをチェックすることで、ステップ５では図４（ａ）で選択した検索情報「友人」と図４（ｄ）で選択した検索情報「自社」及び「サークル」の全てを登録している電話帳データが図４（ｅ）のように表示され、ステップ６〜ステップ１０までの処理が行なわれる。次に、ステップ５で一覧表示された電話帳データが、図４（ａ）と（ｄ）とで選択した検索情報「友人」、「自社」及び「サークル」以外の検索情報も登録していた場合、ステップ８で「絞込検索が可能」である旨が図４（ｅ）のようにＬＣＤディスプレイ１２に表示される。さらに、ステップ１１で図４（ｆ）のようにサブメニューが表示されている状態で、ユーザが「絞込検索」を選択すると、図４（ｇ）のように図４（ａ）及び（ｄ）で絞り込まれた電話帳データのうち、図４（ａ）及び（ｄ）で選択した以外の検索情報が表示される。図４（ｇ）のように検索情報「女」のチェックボックスをチェックすることで、ステップ５では図４（ａ）及び（ｄ）で選択した検索情報「友人」と図４（ｄ）で選択した検索情報「自社」及び「サークル」と図４（ｇ）で選択した検索情報「女」との全てを登録している電話帳データが図４（ｈ）のように表示され、ステップ６〜ステップ１０までの処理が行なわれる。ステップ５で一覧表示された電話帳データには、図４（ａ）と（ｄ）と（ｇ）とで選択した検索情報「友人」、「自社」、「サークル」及び「女」以外の検索情報が登録されていないので、ステップ８の「絞込検索が可能」である旨は図４（ｈ）のようにＬＣＤディスプレイ１２に表示されない。
【００２４】
ステップ１１の判定で、キー入力装置８が「オフフックキー」を操作されたと判定されると、制御部５はカーソル指定している電話帳データの電話番号を使用して発信動作を行って（ステップ１２）、処理を終了する。
【００２５】
ステップ１１の判定で、キー入力装置８が「絞込検索」及び「オフフックキー」以外の「その他のキー」を操作されたと判定されると、制御部５は各キーに割り当てられた動作を行って（ステップ１２）、処理を終了する。
【図面の簡単な説明】
【００２６】
【図１】この発明に係る携帯機器または通信端末としての携帯電話機を示すブロック図である。
【図２】この発明に係る携帯電話機の電話帳データ記憶部１０の内部構成を示す図である。
【図３】この発明に係る携帯電話機の検索情報記憶部９の内容構成を示す図である。
【図４】この発明に係る携帯電話機のＬＣＤディスプレイ１２に表示される画面を示す図である。
【図５】この発明に係る携帯電話機の電話帳データ記憶部１０を検索する処理を示すフローチャートである。
【符号の説明】
【００２７】
２  ＲＦ部
５  制御部
８  キー入力装置
９  検索情報記憶部
１０  電話帳データ記憶部
１１  電話帳検索制御部
１２  ＬＣＤディスプレイ
【図１】
2005278048.tif 000003
【図２】
2005278048.tif 000004
【図３】
2005278048.tif 000005
【図４】
2005278048.tif 000006
【図５】
2005278048.tif 000007